(57)【特許請求の範囲】
【請求項１】
順次に接続されたＲＦ同調増幅部、発振器からの局部発振周波数が入力されるミキサ部、ＩＦ増幅部、ＡＧＣ制御部及びＦＭ復調部とから成る、チューナ装置において、ＦＭ復調部から出力される復調信号に基づいて映像信号を生成する映像処理ＩＣと、上記復調信号に基づいて音声信号を生成する音声処理ＩＣとを備え、全体がシールドケース内に収容されて一体のユニットとして構成されており、前記映像処理ＩＣと前記音声処理ＩＣとは前記シールドケースによって分離され、前記音声処理ＩＣ用クロックのための音声用水晶発振器と前記映像処理ＩＣ用クロックのための映像用水晶発振器とを前記映像処理ＩＣの部内に配置し、かつ前記映像用水晶発振器と前記音声用水晶発振器は前記映像処理ＩＣを挟んで対面する位置に配置することを特徴とするチューナ装置。
【発明の詳細な説明】
【０００１】
【発明の属する技術分野】
本発明は、衛星放送受信用チューナ装置等のチューナ装置に関するものである。
【０００２】
【従来の技術】
従来、例えば衛星放送受信用チューナ装置は、図４に示すように、構成されている。
即ち、図４において、衛星放送受信用チューナ装置１は、ＢＳコンバータに接続されるべき入力端子２からの信号が入力されるＲＦ同調増幅部３，ミキサ４，ＩＦ増幅部５，ＡＧＣ制御部６及びＦＭ復調部７とから構成されている。
上記ミキサ４には、発振器４ａからの局部発振周波数が入力されている。
さらに、ＡＧＣ制御部６からの制御信号が、ＲＦ同調増幅部３及びＩＦ増幅部５に入力されている。
【０００３】
このように構成された衛星放送受信用チューナ装置１によれば、ＢＳコンバータからの信号が、ＲＦ同調増幅部３に入力されることにより、所望の周波数成分のみが通過し、ミキサ４に入力される。該ミキサ４には、発振器４ａからの所定の局部発振周波数の発振信号が入力されており、該ミキサ４は、ＲＦ同調増幅部３からの信号と該発振信号とを混合して、中間周波数信号を生成する。
【０００４】
上記中間周波数信号は、ＩＦ増幅部５にて増幅され、ＡＧＣ制御部６によりゲインコントロールされた後、ＦＭ復調部７に入力される。該ＦＭ復調部７において、入力信号が復調されることにより、テレビジョン信号が出力されるようになっている。
【０００５】
かくして、このテレビジョン信号に基づいて、チューナ装置１とは別体に構成された映像処理部８により、ビデオ信号が生成されると共に、音声処理部９により、音声信号が生成される。このビデオ信号及び音声信号が、図示しないテレビジョン装置やビデオ装置の入力端子に入力されることにより、ブラウン管などのディスプレイ装置に表示それ、あるいはビデオテープに録画され得るようになっている。
【０００６】
【発明が解決しようとする課題】
しかしながら、このように構成された衛星放送受信用チューナ装置１においては、映像処理部８及び音声処理部９が、チューナ装置１とは別体に構成されている。従って、これらの映像処理部８及び音声処理部９を一つの機器として組み立てる場合には、機器全体が大型化してしまうという問題があった。
また、チューナ装置１と映像処理部８及び音声処理部９を接続する際に、マッチング調整作業が必要になることから、組立が面倒であるという問題があった。さらに、音声処理部９においては、一般にＰＣＭ変調による処理が行なわれることから、ＰＣＭ変調によるノイズが外部に漏出しないように、シールドケース内に入れる必要があった。
【０００７】
本発明は、以上の点に鑑み、簡単な構成により、小型に且つ低コストで構成され得ると共に、容易に組み立てられ得るようにした、チューナ装置を提供することを目的としている。
【０００８】
【課題を解決するための手段】
上記目的は、本発明によれば、順次に接続されたＲＦ同調増幅部、発振器からの局部発振周波数が入力されるミキサ部、ＩＦ増幅部、ＡＧＣ制御部及びＦＭ復調部とから成る、チューナ装置において、ＦＭ復調部から出力される復調信号に基づいて映像信号を生成する映像処理ＩＣと、上記復調信号に基づいて音声信号を生成する音声処理ＩＣとを備え、全体がシールドケース内に収容されて一体のユニットとして構成されており、前記映像処理ＩＣと前記音声処理ＩＣとは前記シールドケースによって分離され、前記音声処理ＩＣ用クロックのための音声用水晶発振器と前記映像処理ＩＣ用クロックのための映像用水晶発振器とを前記映像処理ＩＣの部内に配置し、かつ前記映像用水晶発振器と前記音声用水晶発振器は前記映像処理ＩＣを挟んで対面する位置に配置することを特徴とするチューナ装置により、達成される。
【０００９】
本発明によるチューナ装置は、好ましくは、上記音声処理部用の水晶発振器が、映像処理部内に形成される。
【００１０】
上記構成によれば、ＦＭ復調部からの復調信号を処理するための映像処理部と音声処理部が、一体のユニットとして構成されているので、これらの映像処理部及び音声処理部をチューナ装置のＦＭ復調部の出力に接続する必要がない。従って、接続作業及び調整作業が不要となり、チューナ装置の組立が容易に行なわれ得ることになる。
また、音声処理部は、チューナ装置のシールドケース内に収容されることになるので、音声処理部からのノイズが外部に漏出するようなこともない。
【００１１】
上記音声処理部用の水晶発振器が、映像処理部内に形成された場合には、水晶発振器から発生するノイズが、音声処理部内に入り込むことがないので、音声処理部の誤動作が排除され得ることになる。
【００１２】
【発明の実施の形態】
以下、図面に示した実施形態に基づいて、本発明を詳細に説明する。
図１乃至図３は、本発明による衛星放送受信用チューナ装置の一実施形態の構成を示している。
【００１３】
図１において、衛星放送受信用チューナ装置１０は、ＢＳコンバータに接続されるべき入力端子１１からの信号が入力されるＲＦ同調増幅部１２，ミキサ１３，ＩＦ増幅部１４，ＡＧＣ制御部１５及びＦＭ復調部１６と、さらに同一ユニット内に配設された映像処理部１７，音声処理部１８とから構成されている。
【００１４】
ここで、上記ＲＦ同調増幅部１２，ミキサ１３，ＩＦ増幅部１４，ＡＧＣ制御部１５及びＦＭ復調部１６は、図４に示した従来のチューナ装置１におけるＲＦ同調増幅部３，ミキサ４，ＩＦ増幅部５，ＡＧＣ制御部６及びＦＭ復調部７と同様に構成されている。
【００１５】
映像処理部１７は、図１に示すように、映像処理ＩＣ１７ａと、それに隣接した水晶発振器１７ｂ，１７ｃとを備えている。
ここで、映像処理ＩＣ１７ａは、図２に示すように、ディエンファシスローパスフィルタ１７ｄ，エネルギー拡散信号除去回路１７ｅ及び映像増幅回路１７ｆから構成されており、ＦＭ復調部１６からの復調信号に基づいて、ビデオ信号を生成する。
また、音声処理部１８は、図３に示すように、音声処理ＩＣから成り、この音声処理ＩＣは、図３に示すように、音声用のバンドパスフィルタ１８ａ，４相ＤＰＳＫ復調回路１８ｂ，ＰＣＭ復調回路１８ｃ及びアナログ音声処理回路１８ｄから構成されており、ＦＭ分頂部１６からの復調信号に基づいて、音声信号を生成する。
【００１６】
ここで、水晶発振器１７ｂは、音声処理ＩＣのクロックのための例えば１８．４３ＭＨｚの振動周波数を有するように、構成されており、また水晶発振器１７ｂは、映像処理ＩＣ１７ａのクロックそして映像処理ＩＣ１７ａ及び音声処理ＩＣのデジタルフィルタ用クロックのための例えば５．７２ＭＨｚの振動周波数を有するように、構成されている。
【００１７】
本発明実施例による衛星放送受信用チューナ装置１０は、以上のように構成されており、ＢＳコンバータからの信号が、入力端子１１からＲＦ同調増幅部１２に入力されることにより、所望の周波数成分のみが通過し、ミキサ１３に入力される。該ミキサ１３には、図示しない発振器からの所定の局部発振周波数の発振信号が入力されており、該ミキサ１３は、ＲＦ同調増幅部１２からの信号と該発振信号とを混合して、中間周波数信号を生成する。
【００１８】
上記中間周波数信号は、ＩＦ増幅部１４にて増幅され、ＡＧＣ制御部１５によりゲインコントロールされた後、ＦＭ復調部１６に入力される。該ＦＭ復調部１６において、入力信号が復調されることにより、テレビジョン信号が生成される。
【００１９】
そして、このテレビジョン信号は、映像処理部１７及び音声処理部１８に入力される。これにより、映像処理部１７においては、ビデオ信号が生成されると共に、音声処理部１８においては、音声信号が生成される。かくして、このビデオ信号及び音声信号が、図示しないテレビジョン装置やビデオ装置の入力端子に入力されることにより、ブラウン管などのディスプレイ装置に表示それ、あるいはビデオテープに録画され得るようになっている。
【００２０】
この場合、チューナ装置１０内に、映像処理部１７及び音声処理部１８が一体のユニットとして組み込まれているので、ＦＭ復調部１６の出力と映像処理部１７及び音声処理部１８を接続する必要はなく、従って接続の際のマッチング調整作業も不要である。さらに、映像処理部１７及び音声処理部１８を内蔵したチューナ装置１０が全体として小型に構成され得ることになる。
【００２１】
また、音声処理部１８で使用される水晶発振器１７ｂが、映像処理部１７内に配設されていることから、音声処理部１８内にはノイズ源となるフィルタが配設されない。従って、音声処理部１８は、フィルタからのノイズの影響が低減され得ることになる。
【００２２】
さらに、音声処理部１８のＰＣＭ復調回路１８ｃが、チューナ装置１０のシールドケース内に収容されることになるため、音声処理部１８から外部へのノイズの漏出が低減され得ることになる。
【００２３】
尚、チューナ装置１０は、その入力側に、ＢＳ分配器１９が備えられていてもよい。この場合、入力端子１１からのＢＳ信号は、分配器１９に入力され、二つの分配出力のうち、一方の分配出力が、出力端子２０から外部に出力されると共に、他方の分配出力が、ＲＦ同調増幅部１２に入力される。
これにより、外部に分配器を備える必要なく、他の機器、例えばテレビ受像機やビデオ装置等に、ＢＳ信号を分配することが可能となる。
【００２４】
【発明の効果】
以上述べたように、本発明によれば、ＦＭ復調部からの復調信号を処理するための映像処理部と音声処理部が、一体のユニットとして構成されているので、これらの映像処理部及び音声処理部をチューナ装置のＦＭ復調部の出力に接続する必要がない。従って、接続作業及び調整作業が不要となり、チューナ装置の組立が容易に行なわれ得ることになる。また、音声処理部は、チューナ装置のシールドケース内に収容されることになるので、音声処理部からのノイズが外部に漏出するようなこともない。
かくして、本発明によれば、簡単な構成により、小型に且つ低コストで構成され得ると共に、容易に組み立てられ得るようにした、極めて優れたチューナ装置が提供され得ることになる。
【図面の簡単な説明】
【図１】本発明によるチューナ装置の一実施形態における構成を示す概略図である。
【図２】図１のチューナ装置の映像処理部の構成を示すブロック図である。
【図３】図１のチューナ装置の音声処理部の構成を示すブロック図である。
【図４】従来のチューナ装置の一例を示すブロック図である。
【符号の説明】
１０        チューナ装置
１１        入力端子
１２        ＲＦ同調増幅部
１３        ミキサ
１４        ＩＦ増幅部
１５        ＡＧＣ制御部
１６        ＦＭ復調部
１７        映像処理部
１７ａ      映像処理ＩＣ
１７ｂ，１７ｂ      水晶発振器
１８        音声処理部
１９        分配器
２０        出力端子
【図１】
0003612815.tif 000002
【図２】
0003612815.tif 000003
【図３】
0003612815.tif 000004
【図４】
0003612815.tif 000005